(57)【要約】      （修正有）【課題】眼鏡、特に近視用眼鏡は外出する際に、常に装着されることに着目し、ＲＦＩＤタグに記憶されたＩＤを用いて、装着者を顧客として管理できるようにするため、ＲＦＩＤタグが取り付けられた眼鏡フレーム、眼鏡および顧客管理システムを提供する。【解決手段】眼鏡フレームは、ＲＦＩＤタグが取り付けられており、眼鏡１０は、前記眼鏡フレームを用いた構成を有している。顧客管理システム３０には、前記の眼鏡１０と、該眼鏡の眼鏡フレームのＲＦＩＤタグに記憶された装着者のＩＤを読み込むためのリーダー４０と、このリーダー４０に接続された店舗端末４２を備え、前記店舗端末４２は、装着者のＩＤに紐付けて、装着者の属性を記憶した記憶手段を備えており、前記リーダー４０からの装着者のＩＤを受けたとき、前記ＩＤに基づき前記記憶手段からそのＩＤに関する装着者の属性を読み出すようになっていることを特徴とする。【選択図】図２
2016011970.tif 000002
【特許請求の範囲】
【請求項１】
ＲＦＩＤタグが取り付けられていることを特徴とする眼鏡フレーム。
【請求項２】
ＲＦＩＤタグの取り付け箇所がテンプルである請求項１の眼鏡フレーム。
【請求項３】
前記ＲＦＩＤタグがテンプルに埋め込まれている請求項２の眼鏡フレーム。
【請求項４】
前記ＲＦＩＤタグがテンプルに取り外し可能に埋め込まれている請求項２または３の眼鏡フレーム。
【請求項５】
前記ＲＦＩＤタグが無線ＩＣタグである請求項１〜４のいずれかの眼鏡フレーム。
【請求項６】
請求項１〜５のいずれかの眼鏡フレームを備えていることを特徴とする眼鏡。
【請求項７】
前記ＲＦＩＤタグに、装着者のＩＤが記憶されている請求項６の眼鏡。
【請求項８】
請求項７の眼鏡と、該眼鏡の眼鏡フレームのＲＦＩＤタグに記憶された装着者のＩＤを読み込むためのリーダーと、このリーダーに接続された店舗端末を備え、前記店舗端末は、装着者のＩＤに紐付けて、装着者の属性を記憶した記憶手段を備えており、前記リーダーからの装着者のＩＤを受けたとき、前記ＩＤに基づき前記記憶手段からそのＩＤに関する装着者の属性を読み出すようになっていることを特徴とする顧客管理システム。
【請求項９】
前記装着者の属性は、購買履歴を含んでいる請求項８の顧客管理システム。
【請求項１０】
前記店舗端末は、ディスプレーを備えており、前記読み出した装着者の属性をこのディスプレーに表示するようになっている請求項８または９の顧客管理システム。
【請求項１１】
請求項７の眼鏡と、該眼鏡の眼鏡フレームのＲＦＩＤタグに記憶された装着者のＩＤを読み込むためのリーダーと、このリーダーに接続された店舗端末と、サーバーを備え、前記サーバーは、装着者のＩＤに紐付けて、装着者の属性を記憶した記憶手段を備えており、前記店舗端末を介して、前記リーダーからの装着者のＩＤを受けたとき、前記ＩＤに基づき前記記憶手段からそのＩＤに関する装着者の属性を読み出し、これを前記店舗端末に送信するようになっていることを特徴とする顧客管理システム。
【請求項１２】
前記装着者の属性は、購買履歴を含んでいる請求項１１の顧客管理システム。
【請求項１３】
購買履歴が眼鏡の購買履歴である請求項１２の顧客管理システム。
【請求項１４】
前記店舗端末は、ディスプレーを備えており、前記送信されてきた装着者の属性をこのディスプレーに表示するようになっている請求項１１〜１３のいずれか１項の顧客管理システム。
【発明の詳細な説明】
【技術分野】
【０００１】
本発明は、眼鏡フレーム、眼鏡および顧客管理システムに関する。
【背景技術】
【０００２】
再公表特許ＷＯ２０１２／０４３４３２号公報にも記載されているように、ＲＦＩＤ（Radio Frequency identification）タグ、特に無線ＩＣタグは、商品に取り付けられ、商品管理に使用される場合が多い。
【先行技術文献】
【特許文献】
【０００３】
【特許文献１】再公表特許ＷＯ２０１２／０４３４３２号公報
【発明の概要】
【発明が解決しようとする課題】
【０００４】
このように、ＲＦＩＤタグは、商品に取り付けられて使用されることが多く、新たな用途が望まれていた。
【０００５】
そこで本発明は、眼鏡、特に近視用眼鏡は外出する際に、常に装着されることに着目し、ＲＦＩＤタグに記憶されたＩＤを用いて、装着者を顧客として管理できるようにするため、ＲＦＩＤタグが取り付けられた眼鏡フレーム、眼鏡および顧客管理システムを提供することを目的とする。
【０００６】
本発明の上記目的は、下記（１）〜（１４）の構成の本発明に従う眼鏡フレーム、眼鏡および顧客管理システムにより達成される。
（１）
ＲＦＩＤタグが取り付けられていることを特徴とする眼鏡フレーム。
（２）
ＲＦＩＤタグの取り付け箇所がテンプルである前記（１）の眼鏡フレーム。
（３）
前記ＲＦＩＤタグがテンプルに埋め込まれている前記（２）の眼鏡フレーム。
（４）
前記ＲＦＩＤタグがテンプルに取り外し可能に埋め込まれている前記（２）または（３）の眼鏡フレーム。
（５）
前記ＲＦＩＤタグが無線ＩＣタグである前記（１）〜（４）のいずれかの眼鏡フレーム。
（６）
前記（１）〜（５）のいずれかの眼鏡フレームを備えていることを特徴とする眼鏡。
（７）
前記ＲＦＩＤタグに、装着者のＩＤが記憶されている前記（６）の眼鏡。
（８）
前記（７）の眼鏡と、該眼鏡の眼鏡フレームのＲＦＩＤタグに記憶された装着者のＩＤを読み込むためのリーダーと、このリーダーに接続された店舗端末を備え、前記店舗端末は、装着者のＩＤに紐付けて、装着者の属性を記憶した記憶手段を備えており、前記リーダーからの装着者のＩＤを受けたとき、前記ＩＤに基づき前記記憶手段からそのＩＤに関する装着者の属性を読み出すようになっていることを特徴とする顧客管理システム。
（９）
前記装着者の属性は、購買履歴を含んでいる前記（８）の顧客管理システム。
（１０）
前記店舗端末は、ディスプレーを備えており、前記読み出した装着者の属性をこのディスプレーに表示するようになっている前記（８）または（９）の顧客管理システム。
（１１）
前記（７）の眼鏡と、該眼鏡の眼鏡フレームのＲＦＩＤタグに記憶された装着者のＩＤを読み込むためのリーダーと、このリーダーに接続された店舗端末と、サーバーを備え、前記サーバーは、装着者のＩＤに紐付けて、装着者の属性を記憶した記憶手段を備えており、前記店舗端末を介して、前記リーダーからの装着者のＩＤを受けたとき、前記ＩＤに基づき前記記憶手段からそのＩＤに関する装着者の属性を読み出し、これを前記店舗端末に送信するようになっていることを特徴とする顧客管理システム。
（１２）
前記装着者の属性は、購買履歴を含んでいる請求項１１の顧客管理システム。
（１３）
購買履歴が、眼鏡仕様を含む眼鏡の購買履歴である（１２）の顧客管理システム。
（１４）
前記店舗端末は、ディスプレーを備えており、前記送信されてきた装着者の属性をこのディスプレーに表示するようになっている前記（１１）〜（１３）のいずれか１項の顧客管理システム。
【発明の効果】
【０００７】
本発明の顧客管理システムは、上記したように、顧客（装着者）の眼鏡の眼鏡フレームのＲＦＩＤタグに記憶された装着者のＩＤを読み込むためのリーダーと、このリーダーに接続された店舗端末を備え、前記店舗端末は、装着者のＩＤに紐付けて、装着者の属性を記憶した記憶手段を備えており、前記リーダーからの装着者のＩＤを受けたとき、前記ＩＤに基づき前記記憶手段からそのＩＤに関する装着者の属性を読み出すようになっているので、来店した顧客の属性（例えば、過去にその顧客が購入した眼鏡の仕様（レンズの種類、度数、製造会社およびフレームの製造会社、商品番号、色等））が即座に分かるので、店舗側としては、接客を丁重かつ正確にきる。
ＲＦＩＤタグに記憶する内容は、装着者のＩＤのみとすることが良い。装着者の個人情報の漏洩を防止できるからである。
【図面の簡単な説明】
【０００８】
【図１】本発明の実施の形態による眼鏡フレームを用いた眼鏡の一例を示す斜視図である。
【図２】本発明図の実施の形態による顧客管理システムを説明するための図である。
【発明を実施するための形態】
【０００９】
図１は、本発明の実施の形態による眼鏡フレームを備えた眼鏡の一例を示す斜視図である。
【００１０】
この眼鏡１０は、眼鏡フレーム１２およびそれに装着された凹または凸レンズ１４を備えている。前記眼鏡フレーム１２は、フロント部１６、このフロント部１６の両側に取り付けられたテンプル１８，およびパッド２０を備えている。
【００１１】
前記眼鏡１０は、その全体のいずれかの箇所にＲＦＩＤタグが取り付けられている。図示した例では、ＲＦＩＤタグ２２は、眼鏡フレーム１２のテンプル１８に埋め込まれている。視界を邪魔しなければ、レンズに取り付けても良い。
【００１２】
前記ＲＦＩＤタグ２２は、無線ＩＣタグであることが好ましい。また、この無線ＩＣタグは、アンテナ側からの非接触電力伝送技術により、電池を持たない半永久的に使用可能なタイプのものであることが好ましい。埋め込み型とすることができるからである。
【００１３】
無線ＩＣタグの形状は、ラベル型、コイン型、スティック型等種々のものがあるが、テンプルの形状等に従い、適切なものを選択すればよい。前記ＲＦＩＤタグ２２には、装着者のＩＤのみが記憶されていることが好ましい。個人情報保護のためである。
【００１４】
次に、図２を参照して、本発明の実施の形態による顧客管理システムについて説明する。
【００１５】
本発明の実施の形態による顧客管理システム３０は、前記の眼鏡１０と、該眼鏡の眼鏡フレームのＲＦＩＤタグ２２に記憶された装着者のＩＤを読み込むためのリーダー４０と、このリーダー４０に接続された店舗端末４２と、店舗の中、あるいは外に設けられ、前記店舗端末４２と通信ができるサーバー５０を備えている。前記サーバー３０は、前記ＲＦＩＤタグ２２に記憶された前記ＩＤに紐付けて、装着者の属性を記憶した記憶手段（図示せず）を備えており、前記店舗端末４２を介して前記リーダー４０からの装着者のＩＤを受けたとき、前記ＩＤに基づき前記記憶手段からそのＩＤに関する装着者の属性を読み出し、それを前記店舗端末４２に送信するようになっている。
【００１６】
前記店舗端末４２は、デスクトップパソコン、ノートパソコン、タブレット型パソコン、多機能電話機等のいずれであってもよい。前記店舗端末４２は、ディスプレーを備えており、前記サーバー５０から送信されてきた装着者の属性をこのディスプレーに表示するようになっている。
【００１７】
前記装着者の属性は、その装着者の姓名、年齢、男女の別を初めとし、その店舗での、あるいはチェーン店全体での購買履歴、特に眼鏡の購買履歴を含んでいることが好ましい。眼鏡の購買履歴は、例えば、過去にその顧客が購入した眼鏡の仕様（レンズの種類、度数、製造会社およびフレームの製造会社、商品番号、型番、色等を含んでいることが好ましい。
【００１８】
なお、上記した実施の形態の顧客管理システムでは、サーバーを備えるタイプのものを示したが、顧客の数が少ない場合には、サーバーを備えずに、店舗端末に顧客の属性を記憶させても良い。
【００１９】
本発明による顧客管理システムは、上記したような構成であるので、来店した顧客の属性（例えば、過去にその顧客が購入した眼鏡の仕様（レンズの種類、度数、製造会社およびフレームの製造会社、商品番号、色等））が即座に分かり、店舗側としては、接客を丁重かつ正確にきる。
ＲＦＩＤタグに記憶する内容は、上記したように装着者のＩＤのみとすることが良い。装着者の個人情報の漏洩を防止できるからである。
【符号の説明】
【００２０】
１０  眼鏡
１２  眼鏡フレーム
１４  レンズ
１６  フロント部
１８  テンプル
２０  パッド
３０  顧客管理システム
４０  リーダー
４２  店舗端末
４４  ディスプレー
５０  サーバー
【図１】
2016011970.tif 000003
【図２】
2016011970.tif 000004